(57)【要約】【課題】  ユーザの共同での利用を円滑化する。【解決手段】  本体機器１００は、複数のチャンネルを、複数の第１のグループに対応付けて記憶するメモリ１５０の各種の情報を記憶する領域と、第１のグループに対応付けられたチャンネルを表す、映像の情報を出力するＯＳＤ画像生成部１８０と、第１のグループのいずれかを表す情報、利用者名が表すグループを表す情報、および利用者名が表すグループごとにチャンネルを選択する旨の情報を受付ける赤外線受光部１２０と、赤外線受光部１２０が受付けた情報が表すチャンネルを、利用者名が表すグループに対応付けて記憶するメモリ１５０の本設定用の領域と、アンテナを用いることにより情報を受信するチューナ１６０と、赤外線受光部１２０が受付けた選択チャンネルで情報を受信するように、赤外線受光部１２０を制御する制御部１１０とを含む。【選択図】        図１
2005311461.tif 000002
【特許請求の範囲】
【請求項１】
利用者を特定するための特定手段と、
複数のチャンネルを、複数の第１のグループに対応付けて記憶するための第１の記憶手段と、
前記第１のグループに対応付けられたチャンネルを表す、映像の情報を出力するための出力手段と、
前記複数のチャンネルは、利用者個人を表すグループを含み、かつ前記第１のグループとは異なる、第２のグループにも対応付けられ、
前記第２のグループを表す情報、前記第１のグループのいずれかを表す情報、および前記第２のグループごとにチャンネルを選択する旨の情報を受付けるための受付手段と、
前記受付手段が受付けた情報が表すチャンネルを、受信した情報を利用できる複数の利用者を表す情報とともに、前記第２のグループに対応付けて記憶するための第２の記憶手段と、
前記選択チャンネルに応じて、複数のアンテナのうち、前記受信手段が用いるアンテナを決定するための決定手段と、
複数のアンテナのうち、前記選択チャンネルに適合するアンテナを用いることにより、情報を受信するための受信手段と、
前記決定手段が決定したアンテナとは異なる、送信できるアンテナへの電力の供給を停止するための停止手段と、
前記特定手段が特定した利用者が、前記第２の記憶手段が記憶した情報が表わす、前記受信した情報を利用できる利用者のいずれかである場合、前記特定手段が特定した利用者が利用できるチャンネルのうち、前記受付手段が受付けた、チャンネルを選択する旨の情報が表す選択チャンネルで情報を受信するように、前記受信手段を制御するための制御手段と、
前記受信手段が受信した情報が表わす視聴用の映像、および前記出力手段が出力した情報が表わす映像を表示するための表示手段と、
前記受信手段が受信した情報が表わす、音声を出力するスピーカとを含む、テレビ。
【請求項２】
複数のチャンネルを、複数の第１のグループに対応付けて記憶するための第１の記憶手段と、
前記第１のグループに対応付けられたチャンネルを表す情報を出力するための出力手段と、
前記複数のチャンネルは、前記第１のグループとは異なる第２のグループにも対応付けられ、
前記第１のグループのいずれかを表す情報、前記第２のグループを表す情報、および前記第２のグループごとにチャンネルを選択する旨の情報を受付けるための受付手段と、
前記受付手段が受付けた情報が表すチャンネルを、前記第２のグループに対応付けて記憶するための第２の記憶手段と、
アンテナを用いることにより、情報を受信するための受信手段と、
前記受付手段が受付けた、チャンネルを選択する旨の情報が表す選択チャンネルで情報を受信するように、前記受信手段を制御するための制御手段とを含む、受信機。
【請求項３】
前記第２のグループは、前記受信機の利用者に関するグループを含む、請求項２に記載の受信機。
【請求項４】
前記受信機の利用者に関するグループは、前記受信機の利用者個人を表すグループを含む、請求項３に記載の受信機。
【請求項５】
前記受信手段は、複数のアンテナのうち、前記選択チャンネルに適合するアンテナを用いることにより、情報を受信するための手段を含み、
前記受信機は、
前記選択チャンネルに応じて、前記受信手段が用いるアンテナを決定するための決定手段と、
前記決定手段が決定したアンテナとは異なるアンテナへの電力の供給を停止するための停止手段とをさらに含む、請求項２に記載の受信機。
【請求項６】
前記決定手段が決定したアンテナとは異なるアンテナは、送信できるアンテナを含む、請求項５に記載の受信機。
【請求項７】
前記受信機は、前記受信機を使用中の利用者を特定するための特定手段をさらに含み、
前記第２の記憶手段は、前記チャンネルを、受信した情報を利用できる利用者を表す情報とともに、前記第２のグループに対応付けて記憶するための手段を含み、
前記制御手段は、前記特定手段が特定した利用者が、前記第２の記憶手段が記憶した情報が表わす、前記受信した情報を利用できる利用者のいずれかである場合、前記特定手段が特定した利用者が利用できるチャンネルのうち、前記受付手段が受付けた情報が表す選択チャンネルで情報を受信するように、前記受信手段を制御するための手段を含む、請求項２に記載の受信機。
【請求項８】
前記第２のグループに対応付けて記憶するための手段は、前記チャンネルを、複数の利用者を表す情報とともに記憶するための手段を含む、請求項７に記載の受信機。
【請求項９】
複数のチャンネルを、複数の第１のグループに対応付けて記憶するための第１の記憶手段と、
前記第１のグループに対応付けられたチャンネルを表す、映像の情報を出力するための出力手段と、
前記複数のチャンネルは、前記第１のグループとは異なる第２のグループにも対応付けられ、
前記第１のグループのいずれかを表す情報、前記第２のグループを表す情報、および前記第２のグループごとにチャンネルを選択する旨の情報を受付けるための受付手段と、
前記受付手段が受付けた情報が表すチャンネルを、前記第２のグループに対応付けて記憶するための第２の記憶手段と、
アンテナを用いることにより、情報を受信するための受信手段と、
前記受付手段が受付けた、チャンネルを選択する旨の情報が表す選択チャンネルで情報を受信するように、前記受信手段を制御するための制御手段と、
前記受信手段が受信した情報が表わす映像、および前記出力手段が出力した情報が表わす映像を表示するための表示手段と、
前記受信手段が受信した情報が表わす、音声を出力するスピーカとを含む、受像機。
【発明の詳細な説明】
【技術分野】
【０００１】
本発明はテレビ、受信機、および受像機に関し、特に、多数のチャンネルを受信でき、かつ複数の利用者によって利用されるテレビ、受信機、および受像機に関する。
【背景技術】
【０００２】
デジタル放送などの普及にともない、サービスされるチャンネル数は飛躍的に増大している。このことは、利用者が所望のチャンネルを選局するために要する時間を増大化させるなどの問題を生じさせている。このような問題を解決するために、チャンネルや番組をグループ化する技術が提案されている。
【０００３】
特許文献１は、番組に関連する情報を受信する受信手段と、グルーピング条件を入力する入力手段と、入力手段の出力を用いて受信手段の出力から情報を抽出して番組表を作成する手段と、番組表に見出しを付ける手段と、見出しを複数個同時に表示する手段と、複数個表示された見出しの内の指定された見出しに対応する番組表を表示する手段とを備える受信装置を開示する。
【０００４】
特許文献１に開示された発明によると、見出しと対応する番組表を表示することによって、選曲を容易にすることができる。
【０００５】
特許文献２は、放送受像機において、任意のチャンネルを登録するメモリと、登録するためのボタン、および登録したチャンネルを選択するためのボタンを設け、定めた操作によって既に登録したチャンネルの画面を表示し、新たなチャンネルの登録を行うことおよび既に登録したチャンネルの中から任意のチャンネルを選択することを特徴とする放送受像機を開示する。
【０００６】
特許文献２に開示された発明によると、多チャンネル放送にともなって難しくなる番組選局を容易にすることができる。
【０００７】
特許文献３は、テレビ受像機の使用を制御および監視するためのシステムを開示する。このシステムは、テレビ信号を受信および復調するチューナと、チューナに結合され、チューナから復調されたテレビ信号を受信し、映像表示デバイス上で表示するための映像イメージを生成する映像プロセッサと、コマンド信号を利用者から受信するインターフェース回路と、チューナ、映像プロセッサ、およびインターフェース回路に結合され、映像プロセッサを制御するコントローラを備える。
【０００８】
特許文献３に開示された発明によると、親が直接監督することなく、テレビの視聴を制限または妨げることを可能にするシステムを提供することができる。
【０００９】
しかしながら、特許文献１に開示された発明では、受信装置を共同して利用する場合、その利用は常に円滑であるとはいえないという問題点がある。たとえば、衛星放送などの場合、利用者が放送事業者と契約を締結して番組の提供を受けることが一般的である。あるテレビの利用者の一部が受信料金を負担した場合、その他の利用者は無料で衛星放送の番組を視聴できることになる。一方、そのテレビで衛星放送を受信する場合、チューナなども電力を消費する。その分の料金の負担額を決定することは容易ではない。また、特許文献１に開示された発明には、チャンネル数が多くなるにつれ、チャンネルの登録に必要な時間が多くなるという問題点もある。特許文献２に開示された発明にも、同様の問題点がある。特許文献３に開示された発明では、特許文献１と同様の問題のほか、ある利用者が単に特定のチャンネルを見たくないと思っているに過ぎない場合に、必要以上に制限が課せられ得るという問題点がある。
【特許文献１】特開平１０−２９４９０４号公報
【特許文献２】特開平１０−６５９７８号公報
【特許文献３】特開２００１−２６８４６２号公報
【発明の開示】
【発明が解決しようとする課題】
【００１０】
本発明は上述の問題点を解決するためになされたものであって、その目的は、利用者の共同での利用を、円滑化できるテレビ、受信機、および受像機を提供することにある。
【課題を解決するための手段】
【００１１】
上記目的を達成するために、本発明のある局面にしたがうと、テレビは、利用者を特定するための特定手段と、複数のチャンネルを、複数の第１のグループに対応付けて記憶するための第１の記憶手段と、第１のグループに対応付けられたチャンネルを表す、映像の情報を出力するための出力手段と、第２のグループを表す情報、第１のグループのいずれかを表す情報、および第２のグループごとにチャンネルを選択する旨の情報を受付けるための受付手段と、受付手段が受付けた情報が表すチャンネルを、受信した情報を利用できる複数の利用者を表す情報とともに、第２のグループに対応付けて記憶するための第２の記憶手段と、選択チャンネルに応じて、複数のアンテナのうち、受信手段が用いるアンテナを決定するための決定手段と、複数のアンテナのうち、選択チャンネルに適合するアンテナを用いることにより、情報を受信するための受信手段と、決定手段が決定したアンテナとは異なる、送信できるアンテナへの電力の供給を停止するための停止手段と、特定手段が特定した利用者が、第２の記憶手段が記憶した情報が表わす、受信した情報を利用できる利用者のいずれかである場合、特定手段が特定した利用者が利用できるチャンネルのうち、受付手段が受付けた、チャンネルを選択する旨の情報が表す選択チャンネルで情報を受信するように、受信手段を制御するための制御手段と、受信手段が受信した情報が表わす視聴用の映像、および出力手段が出力した情報が表わす映像を表示するための表示手段と、受信手段が受信した情報が表わす、音声を出力するスピーカとを含む。複数のチャンネルは、利用者個人を表すグループを含み、かつ第１のグループとは異なる、第２のグループにも対応付けられる。
【００１２】
すなわち、特定手段は、利用者を特定する。第１の記憶手段は、複数のチャンネルを、複数の第１のグループに対応付けて記憶する。出力手段は、第１のグループに対応付けられたチャンネルを表す、映像の情報を出力する。受付手段は、第２のグループを表す情報、第１のグループのいずれかを表す情報、および第２のグループごとにチャンネルを選択する旨の情報を受付ける。第２の記憶手段は、受付手段が受付けた情報が表すチャンネルを、受信した情報を利用できる複数の利用者を表す情報とともに、第２のグループに対応付けて記憶する。決定手段は、選択チャンネルに応じて、複数のアンテナのうち、受信手段が用いるアンテナを決定する。受信手段は、複数のアンテナのうち、選択チャンネルに適合するアンテナを用いることにより、情報を受信する。停止手段は、決定手段が決定したアンテナとは異なる、送信できるアンテナへの電力の供給を停止する。制御手段は、特定手段が特定した利用者が、第２の記憶手段が記憶した情報が表わす、受信した情報を利用できる利用者のいずれかである場合、特定手段が特定した利用者が利用できるチャンネルのうち、受付手段が受付けた、チャンネルを選択する旨の情報が表す選択チャンネルで情報を受信するように、受信手段を制御する。表示手段は、受信手段が受信した情報が表わす視聴用の映像、および出力手段が出力した情報が表す映像を表示する。スピーカは、受信手段が受信した情報が表わす、音声を出力する。これにより、利用者は、それぞれ異なる第２のグループの、選択チャンネルを受信できる。その結果、簡略化された構成で、利用者の共同での利用を、特に合理化でき、かつ特に円滑化できるテレビを提供することができる。
【００１３】
本発明の他の局面にしたがうと、受信機は、複数のチャンネルを、複数の第１のグループに対応付けて記憶するための第１の記憶手段と、第１のグループに対応付けられたチャンネルを表す情報を出力するための出力手段と、第１のグループのいずれかを表す情報、第２のグループを表す情報、および第２のグループごとにチャンネルを選択する旨の情報を受付けるための受付手段と、受付手段が受付けた情報が表すチャンネルを、第２のグループに対応付けて記憶するための第２の記憶手段と、アンテナを用いることにより、情報を受信するための受信手段と、受付手段が受付けた、チャンネルを選択する旨の情報が表す選択チャンネルで情報を受信するように、受信手段を制御するための制御手段とを含む。複数のチャンネルは、第１のグループとは異なる第２のグループにも対応付けられる。
【００１４】
すなわち、第１の記憶手段は、複数のチャンネルを、複数の第１のグループに対応付けて記憶する。出力手段は、第１のグループに対応付けられたチャンネルを表す情報を出力する。受付手段は、第１のグループのいずれかを表す情報、第２のグループを表す情報、および第２のグループごとにチャンネルを選択する旨の情報を受付ける。第２の記憶手段は、受付手段が受付けた情報が表すチャンネルを、第２のグループに対応付けて記憶する。受信手段は、アンテナを用いることにより、情報を受信する。制御手段は、受付手段が受付けた、チャンネルを選択する旨の情報が表す選択チャンネルで情報を受信するように、受信手段を制御する。これにより、利用者は、それぞれ異なる第２のグループの、選択チャンネルを受信できる。その結果、利用者の共同での利用を、円滑化できる受信機を提供することができる。
【００１５】
また、上述の第２のグループは、受信機の利用者に関するグループを含むことが望ましい。
【００１６】
すなわち、受付手段は、受信機の利用者に関するグループごとに、チャンネルを選択する旨の情報を受付ける。これにより、利用者は、受信機の利用者に関するグループごとの、選択チャンネルを受信できる。その結果、利用者の共同での利用を、より円滑化できる受信機を提供することができる。
【００１７】
また、上述の受信機の利用者に関するグループは、受信機の利用者個人を表すグループを含むことが望ましい。
【００１８】
すなわち、受付手段は、受信機の利用者個人を表すグループごとに、チャンネルを選択する旨の情報を受付ける。これにより、利用者は、受信機の利用者個人を表すグループごとの、選択チャンネルを受信できる。その結果、利用者の共同での利用を、さらに円滑化できる受信機を提供することができる。
【００１９】
また、上述の受信手段は、複数のアンテナのうち、選択チャンネルに適合するアンテナを用いることにより、情報を受信するための手段を含むことが望ましい。あわせて受信機は、選択チャンネルに応じて、受信手段が用いるアンテナを決定するための決定手段と、決定手段が決定したアンテナとは異なるアンテナへの電力の供給を停止するための停止手段とをさらに含むことが望ましい。
【００２０】
すなわち、受信手段は、複数のアンテナのうち、選択チャンネルに適合するアンテナを用いることにより、情報を受信する。決定手段は、選択チャンネルに応じて、受信手段が用いるアンテナを決定する。停止手段は、決定手段が決定したアンテナとは異なるアンテナへの電力の供給を停止する。これにより、利用者の共同での利用が円滑化された上に合理化される。その結果、利用者の共同での利用を、合理化でき、かつ円滑化できる受信機を提供することができる。
【００２１】
また、上述の決定手段が決定したアンテナとは異なるアンテナは、送信できるアンテナを含むことが望ましい。
【００２２】
すなわち、停止手段は、送信できるアンテナを含む、決定手段が決定したアンテナとは異なるアンテナへの電力の供給を停止する。これにより、利用者の共同での利用が円滑化された上により合理化される。その結果、利用者の共同での利用を、より合理化でき、かつ円滑化できる受信機を提供することができる。
【００２３】
また、上述の受信機は、受信機を使用中の利用者を特定するための特定手段をさらに含むことが望ましい。あわせて第２の記憶手段は、チャンネルを、受信した情報を利用できる利用者を表す情報とともに、第２のグループに対応付けて記憶するための手段を含むことが望ましい。制御手段は、特定手段が特定した利用者が、第２の記憶手段が記憶した情報が表わす、受信した情報を利用できる利用者のいずれかである場合、特定手段が特定した利用者が利用できるチャンネルのうち、受付手段が受付けた情報が表す選択チャンネルで情報を受信するように、受信手段を制御するための手段を含むことが望ましい。
【００２４】
すなわち、特定手段は、受信機を使用中の利用者を特定する。第２の記憶手段は、チャンネルを、受信した情報を利用できる利用者を表す情報とともに、第２のグループに対応付けて記憶する。制御手段は、特定手段が特定した利用者が、第２の記憶手段が記憶した情報が表わす、受信した情報を利用できる利用者のいずれかである場合、特定手段が特定した利用者が利用できるチャンネルのうち、受付手段が受付けた情報が表す選択チャンネルで情報を受信するように、受信手段を制御する。これにより、第２の記憶手段に記憶された利用者が、対応付けられたチャンネルで情報を受信できる。第２の記憶手段に記憶された利用者が情報を受信できるので、特定の利用者が視聴するチャンネルの利用がより円滑化される。その結果、利用者の共同での利用を、より円滑化できる受信機を提供することができる。
【００２５】
また、上述の第２のグループに対応付けて記憶するための手段は、チャンネルを、複数の利用者を表す情報とともに記憶するための手段を含むことが望ましい。
【００２６】
すなわち、第２の記憶手段は、チャンネルを、受信した情報を利用できる複数の利用者を表す情報とともに、第２のグループに対応付けて記憶する。これにより、複数の利用者が、共通するチャンネルで情報を受信できる。共通するチャンネルで情報を受信できるので、チャンネルの利用が円滑化される上に、利用者ごとにチャンネルを第２の記憶手段に重複して記憶させる必要がなくなる。チャンネルを重複して記憶させる必要がなくなるので、第２の記憶手段の構成が簡略化される。その結果、簡略化された構成で、利用者の共同での利用を、より円滑化できる受信機を提供することができる。
【００２７】
本発明の他の局面にしたがうと、受像機は、複数のチャンネルを、複数の第１のグループに対応付けて記憶するための第１の記憶手段と、第１のグループに対応付けられたチャンネルを表す、映像の情報を出力するための出力手段と、第１のグループのいずれかを表す情報、第２のグループを表す情報、および第２のグループごとにチャンネルを選択する旨の情報を受付けるための受付手段と、受付手段が受付けた情報が表すチャンネルを、第２のグループに対応付けて記憶するための第２の記憶手段と、アンテナを用いることにより、情報を受信するための受信手段と、受付手段が受付けた、チャンネルを選択する旨の情報が表す選択チャンネルで情報を受信するように、受信手段を制御するための制御手段と、受信手段が受信した情報が表わす映像、および出力手段が出力した情報が表わす映像を表示するための表示手段と、受信手段が受信した情報が表わす、音声を出力するスピーカとを含む。複数のチャンネルは、第１のグループとは異なる第２のグループにも対応付けられる。
【００２８】
すなわち、第１の記憶手段は、複数のチャンネルを、複数の第１のグループに対応付けて記憶する。出力手段は、第１のグループに対応付けられたチャンネルを表す、映像の情報を出力する。受付手段は、第１のグループのいずれかを表す情報、第２のグループを表す情報、および第２のグループごとにチャンネルを選択する旨の情報を受付ける。第２の記憶手段は、受付手段が受付けた情報が表すチャンネルを、第２のグループに対応付けて記憶する。受信手段は、アンテナを用いることにより、情報を受信する。制御手段は、受付手段が受付けた、チャンネルを選択する旨の情報が表す選択チャンネルで情報を受信するように、受信手段を制御する。表示手段は、受信手段が受信した情報が表わす映像、および出力手段が出力した情報が表わす映像を表示する。スピーカは、受信手段が受信した情報が表わす、音声を出力する。これにより、利用者は、それぞれ異なる第２のグループの、選択チャンネルを受信できる。その結果、利用者の共同での利用を、円滑化できる受像機を提供することができる。
【発明の効果】
【００２９】
本発明に係るテレビ、受信機、および受像機は、利用者の共同での利用を、円滑化できる。
【発明を実施するための最良の形態】
【００３０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３１】
＜第１の実施の形態＞
図１を参照して、本発明を実現する放送受信装置の一態様である本体機器１００について説明する。図１は、本体機器１００の機能的構成を表わすブロック図である。
【００３２】
図１に示すように、本体機器１００は、制御部１１０と、赤外線受光部１２０と、計時回路１２６と、入力部１３０と、チューナ１６０と、合成部１６２と、増幅部１６４と、表示部１７０と、スピーカ１７２と、ＯＳＤ（On Screen Display）画像生成部１８０とを含む。制御部１１０は、メモリ１５０を含む。本体機器１００には、チューナ１６０を介してアンテナ部１９０が取付けられている。本実施の形態において、本体機器１００は、テレビである。
【００３３】
赤外線受光部１２０、あるいは入力部１３０から入力された指示信号は、制御部１１０に入力される。制御部１１０は、その入力信号に応じて、チューナ１６０の選局を行なったり、増幅部１６４による音声信号の出力を調整したりする。制御部１１０はまた、計時回路１２６により取得される時刻情報に基づいて、所定のチャンネルが選局されたときの日時データを取得し、メモリ１５０の所定の領域に格納する装置でもある。
【００３４】
制御部１１０は、たとえばマイコンである。制御部１１０は、赤外線受光部１２０が受信する信号、あるいは入力部１３０を介して入力される指令に基づいて、予め定められた処理を実行する。この処理については、適宜後述する。
【００３５】
入力部１３０は、電源スイッチ、チャンネルボタン、音量調整ボタン、その他の操作ボタンを含む。本体機器１００の利用者は、この入力部１３０を介して、本体機器１００の電源のＯＮ／ＯＦＦの切り替え、受信チャンネルの切り替え、あるいは、音量の調整等のための指示を入力することができる。入力部１３０は、＋／−スイッチ、数字ボタン、トグルボタン等を含む。トグルボタンとは、利用者による押下の回数に応答して、信号を出力するボタンのことをいう。
【００３６】
メモリ１５０は、予め設定された本体機器１００が受信可能なチャンネルの番号、利用者の好みに応じて任意に設定されたチャンネルの番号、選局の履歴、あるいは予め定められた処理を実行することができるプログラム等を記憶する。選局の履歴は、チャンネルごとの選局回数、最後に選局された日時、選局された時間（特に、最大値）等を含む。
【００３７】
メモリ１５０は、たとえばフラッシュメモリのように不揮発性のメモリであるが、これに限られない。メモリ１５０は、本体機器１００の電源がＯＦＦである場合でも、データを保持し続けることができるものであればよい。メモリ１５０は、本設定用の情報を記憶する領域、仮設定用の情報を設定する領域、バッファとして情報を記憶する領域、および本体機器１００の制御に必要な各種の情報を記憶する領域に分かれている。
【００３８】
また、メモリ１５０は、制御部１１０の外部に設けられていてもよい。また、複数のメモリがそれぞれ情報を記憶する態様であってもよい。
【００３９】
チューナ１６０は、制御部１１０からの信号に含まれるチャンネルの識別信号（後述するように、この識別信号が表わすチャンネルは、利用者が選択した選択チャンネルである）に基づいて、放送信号からそのチャンネルに対応する映像信号および音声信号を取得する。チューナ１６０は、後述するアンテナ部１９０の複数のアンテナのうち、選択チャンネルに適合するアンテナを用いることにより、視聴用の情報を受信する回路であるとも言える。
【００４０】
合成部１６２は、制御部１１０からの映像信号およびＯＳＤ画像信号１８０からのオンスクリーン表示信号を合成する。合成部１６２から出力される信号は、表示部１７０に入力される。
【００４１】
表示部１７０は、チューナ１６０により取得された映像信号に基づいて、映像を表示する。表示部１７０は、たとえばブラウン管、液晶ディスプレイ、あるいはプラズマディスプレイ等であるが、その他の表示装置であってもよい。
【００４２】
チューナ１６０により取得された音声信号は、増幅部１６４に入力される。増幅部１６４は、制御部１１０からの制御信号に基づいて、入力信号の出力を大きくし、あるいは、小さくして、スピーカ１７２に出力する。
【００４３】
スピーカ１７２は、その信号を音声に変換して出力する。スピーカ１７２は、モノラルスピーカおよびステレオスピーカのいずれであってもよい。
【００４４】
ＯＳＤ画像生成部１８０は、赤外線受光部１２０により受信される信号あるいは入力部１３０を介して入力される信号に基づいて、受信中のチャンネル番号、音量レベル、時刻その他の情報を表わす画像の情報を生成して表示部１７０に出力する。これにより、表示部１７０は、表示中の映像にその画像を重ねて表示する。
【００４５】
図２を参照して、アンテナ部１９０は、第１アンテナ１９２と第２アンテナ１９４と第３アンテナ１９６とを含む。図２は、本発明の実施の形態に係る、アンテナ部１９０の機能的構成を表わすブロック図である。第１アンテナ１９２は、ＶＨＦ（Very  High  Fre-quency）帯の電波を受信する。第２アンテナ１９４は、ＵＨＦ（Ultrahigh Frequency）帯の電波を受信する。第３アンテナ１９６は、ＢＳ（Broadcast Satellite）帯の電波を受信する。本実施の形態において、第３アンテナ１９６は、ＢＳデジタル放送を受信できる。すなわち、第３アンテナ１９６は、送信できるアンテナでもある。
【００４６】
図３を参照して、本実施の形態に係るリモコン端末１２００について説明する。図３は、リモコン端末１２００の外観を表わす図である。このリモコン端末１２００は、ディスプレイ１２０２と、移動キー１２０４と、数字ボタン１２０６と、操作ボタン１２０８とを含む。このリモコン端末１２００は、本体機器１００に信号を送信する装置である。
【００４７】
移動キー１２０４は、上下左右にカーソルを移動するためのカーソルキー１２１４と、特定の対象の選択を確定する指示を入力する確定ボタン１２２４とを含む。
【００４８】
操作ボタン１２０８は、押下される回数に応答してテレビの音量を調整することができる音量ボタン１２１８と、同様に調整可能なチャンネルボタン１２２８とを含む。
【００４９】
図４を参照して、本実施の形態に係るリモコン端末１２００の構成についてさらに説明する。図４は、リモコン端末１２００が有する機能の構成を表わす図である。
【００５０】
このリモコン端末１２００は、制御部１２１０と、チャンネル選局部１２２０と、操作部１２４０と、メモリ１２５０と、赤外線発光部１２６０とを含む。
【００５１】
チャンネル選局部１２２０は、チャンネルボタン１２２８に相当する。操作部１２４０は、移動キー１２０４、数字ボタン１２０６、あるいは操作ボタン等に対応する。
【００５２】
制御部１２１０は、チャンネル選局部１２２０、および操作部１２４０のいずれかから出力された信号に基づいて予め定められた処理信号を赤外線発光部１２６０に出力させる。このような制御部１２１０による動作には、たとえば本体機器１００の音量を調整する動作、チャンネルを選局する動作などが含まれる。
【００５３】
図５を参照して、本体機器１００で実行されるプログラムは、利用者毎のチャンネルの設定に関して、以下のような制御構造を有する。
【００５４】
ステップ３００（以下、ステップをＳと略す）にて、制御部１１０は、チューナ１６０およびアンテナ部１９０を用いて、同期することを確認できるチャンネル（すなわち電波の周波数）を検出する。具体的には、制御部１１０は、チューナ１６０に検出させようとする電波の周波数を順次変化させていくことにより、同期できるチャンネルを検出する。同期できるチャンネルであるか否かは、検出される電波の強弱に基づいて判断される。本実施の形態の場合、電波の強弱は、チューナ１６０が出力する電力の、電圧の大小によって判断される。制御部１１０は、同期することを確認できる複数のチャンネルを、メモリ１５０の各種の情報を記憶する領域に、後述する「第１のグループ」に対応付けて記憶させる（「第１のグループ」は複数ある）。
【００５５】
Ｓ３０２にて、赤外線受光部１２０は、利用者毎でのチャンネルの設定の旨を受付ける。本実施の形態の場合、利用者からの入力は、いずれも赤外線受光部１２０が、リモコン信号を受信することにより受付ける。図６を参照して、本実施の形態に係る赤外線受光部１２０がリモコン信号を受信する際のデータのフォーマットを説明する。本実施の形態に係るリモコン信号を受信する際のデータのフォーマットは、スタートビット用エリア２２０と、リモコン信号の送信を表すオペレーションコード用エリア２２２と、リモコン信号の内容を表すコマンドコード用エリア２２４と、リモコン信号の内容にデータが付属する場合のデータ用エリア２２６と、ストップビット用エリア２２８とを含む。本実施の形態において、このフォーマットにより送信される信号は、たとえば数字ボタン１２０６の「７」のキーが押されたといったことを表す信号である。利用者毎でのチャンネルの設定の旨が受付けられると、制御部１１０は、まずメモリ１５０のバッファに、利用者毎のチャンネルの、最新の設定を表す情報を記憶させる。Ｓ３０４にて、制御部１１０は、メモリ１５０に記憶された各種の設定を変更する。この処理は、後述するＳ４００〜Ｓ４１０の各ステップに相当する。
【００５６】
Ｓ３０６にて、制御部１１０は、変更された設定に対する、利用者の承認があったか否かを判断する。利用者の承認があったと判断した場合（Ｓ３０６にてＹＥＳ）、処理はＳ３０８へと移される。もしそうでないと（Ｓ３０６にてＮＯ）、処理はＳ３１２へと移される。
【００５７】
Ｓ３０８にて、制御部１１０は、変更された設定の内容を表す情報を、メモリ１５０の本設定用の領域に記憶させる。これにより、赤外線受光部１２０が受付けた情報が表すチャンネルを、メモリ１５０の本設定用の領域が、利用者名が表すグループに対応付けて記憶することとなる。また、このチャンネルは、「第１のグループ」にも利用者名が表すグループにも対応付けられることとなる。Ｓ３１０にて、制御部１１０は、変更された設定の内容に基づき、アンテナ部１９０のうち、放送を受信する際に使用するアンテナを特定する。アンテナの特定は、チャンネルごとに実施される。あわせて制御部１１０は、特定されたアンテナを表す情報を、メモリ１５０の本設定用の領域に記憶させる。Ｓ３１２にて、制御部１１０は、変更された設定の内容を表す情報を破棄する。
【００５８】
図７を参照して、本体機器１００で実行されるプログラムは、設定の変更に関して、以下のような制御構造を有する。
【００５９】
Ｓ４００にて、制御部１１０は、まずメモリ１５０のバッファに、利用者毎のチャンネルの、最新の設定を表す情報を記憶させる。最新の設定を表す情報は、メモリ１５０の本設定用の領域に記憶されている。最新の設定を表す情報が記憶されると、制御部１１０は、赤外線受光部１２０が受信したリモコン信号の内容に基づき、設定の対象の選択を受付ける。本実施の形態において、このステップにおけるリモコン信号が表す内容は、カーソルキー１２１４が押されたことを表す内容、および確定ボタン１２２４が押されたことを表す内容のいずれかである。カーソルキー１２１４が押された場合、制御部１１０は、カーソルキー１２１４の種類に応じて（すなわち、カーソルをどの方向に移動させる旨のキーが押されたかに応じて）、表示部１７０に表示させたカーソルを移動させる。あわせて制御部１１０は、メモリ１５０のバッファに記憶された、カーソルがある欄を表わす情報を変更する。確定ボタン１２２４が押された場合、制御部１１０は、次のステップの処理を開始する。これにより、赤外線受光部１２０は、設定しようとする対象が、確定ボタン１２２４が押された時点の、カーソルがある欄である旨の選択を受付けたこととなる。
【００６０】
Ｓ４０２にて、制御部１１０は、利用者が設定の対象として枠内２３０に含まれる欄を選択したか否かを判断する。この判断は、メモリ１５０のバッファに記憶された、設定の対象を表す情報の内容に基づいて実施される。利用者が枠内２３０に含まれる欄を選択したと判断した場合（Ｓ４０２にてＹＥＳ）、処理はＳ４０４へと移される。もしそうでないと（Ｓ４０２にてＮＯ）、処理はＳ４０８へと移される。
【００６１】
Ｓ４０４にて、赤外線受光部１２０は、Ｓ４００において選択された欄についての、各設定の選択を受付ける。本実施の形態の場合、枠内２３０に含まれる欄は、「利用者名」および「チャンネル表示設定」である（ちなみに、本実施の形態において、「利用者名」は、チャンネルのグループを表わす情報として取扱われる。）。本実施の形態において、「利用者名」および「チャンネル表示設定」の各欄の設定は、いずれも予め定められた候補の中から選択される。制御部１１０は、予めＯＳＤ画像生成部１８０を介して、表示部１７０に制御部１１０自身が受付けようとする情報の候補（メモリ１５０に記憶されている）のいずれかを表示させておく。赤外線受光部１２０が、カーソルキー１２１４のうち、カーソルを左右方向に移動させるキーが押された旨の信号を受信すると、制御部１１０は、別の候補を表示部１７０に表示させる。Ｓ４００において選択された欄が「チャンネル表示設定」の欄であった場合、制御部１１０は、別の候補を表示させると同時に、その候補に対応する具体的なチャンネルを、その候補ごとに、表示部１７０の利用者チャンネル表示欄２３４に表示させる。このとき利用者チャンネル表示欄２３４に表示されるチャンネルは、メモリ１５０の各種の情報を記憶する領域に、上述の候補に対応付けて記憶されている。赤外線受光部１２０が、カーソルキー１２１４のうち、カーソルを上下方向に移動させるキーが押された旨の信号を受信すると、制御部１１０は、選択の対象となる設定を、「利用者名」と「チャンネル表示設定」との間で変更する。赤外線受光部１２０が、確定ボタン１２２４が押された旨の信号を受信すると、制御部１１０は、その時表示部１７０に表示されていた候補が選択されたとみなし、その情報をメモリ１５０のバッファに記憶させる。ただし、制御部１１０は、表示部１７０の「チャンネル表示設定」に表示された候補に代えて、その候補に対応する具体的なチャンネルをメモリ１５０のバッファに記憶させる。なお、本実施の形態において、「チャンネル表示設定」欄の候補は、それぞれ所定のチャンネルのグループに対応する。本実施の形態において、このように「チャンネル表示設定」欄の候補がＳ４０４のステップにおいて対応するグループを「第１のグループ」と称する。これにより、利用者チャンネル表示欄２３４に表示される複数のチャンネルは、メモリ１５０の各種の情報を記憶する領域に、複数の第１のグループに対応付けて記憶されていることとなる。
【００６２】
Ｓ４０６にて、赤外線受光部１２０は、表示するチャンネルの選択を受付ける（制御部１１０は非表示とするチャンネル番号の選択を受付けてもよい。しかし、本実施の形態における赤外線受光部１２０は、表示するチャンネルの選択を受付けることとする）。表示するチャンネルの選択を受付けるために、制御部１１０は、表示部１７０に表示させたチャンネルのうち、あるチャンネル（本実施の形態の場合、利用者チャンネル表示欄２３４に表示されるチャンネルのうち、最も左のマス目に表示されたチャンネル）を反転表示させる。赤外線受光部１２０が、カーソルキー１２１４のうち、カーソルを左右方向に移動させるキーが押された旨の信号を受信すると、制御部１１０は、別のチャンネルを表す情報を反転表示させる。赤外線受光部１２０が、カーソルキー１２１４のうち、カーソルを上下方向に移動させるキーが押された旨の信号を受信すると、制御部１１０は、その時反転表示されたチャンネルが選択されたとみなし、そのチャンネルを表す情報をメモリ１５０のバッファに記憶させる。あわせて制御部１１０は、選択されたチャンネルを、選択されていないチャンネルとは別の色で表示させる（本実施の形態の場合、選択されたチャンネルは赤、選択されていないチャンネルは黒で表示されることとする）。赤外線受光部１２０が、確定ボタン１２２４が押された旨の信号を受信すると、制御部１１０は、その時までに選択されたチャンネルの情報を、メモリ１５０のバッファに記憶（なお、本実施の形態において、このときバッファに記憶されたチャンネルの情報、およびＳ４０４にて受付けた利用者名は、Ｓ３０８にて、後述する「設定の内容を表す情報」の１つのグループとして記憶される。この場合、先に記憶されたチャンネルの情報により小さなグループ番号が付加される。）させる。これにより、赤外線受光部１２０がチャンネル番号の選択を受付けたこととなる。
【００６３】
Ｓ４０８にて、制御部１１０は、利用者毎に本体機器１００を使用する時間の設定を受付ける。カーソルキー１２１４のうち、カーソルを左右方向に移動させるキーが押された旨の信号を受信すると、制御部１１０は、それまで反転表示されていた欄の、隣の欄の表示を反転させる。あわせて、制御部１１０は、元の欄の表示を、通常表示に変更させる。カーソルキー１２１４のうち、カーソルを上下方向に移動させるキーが押された旨の信号を受信すると、制御部１１０は、反転表示された欄に、候補となる設定を反転表示させる。カーソルを上下方向に移動させるキーが押されるたびに、制御部１１０は別の候補を表示させる。
【００６４】
Ｓ４１０にて、制御部１１０は、確定ボタン１２２４が押された旨の信号を受信すると、その時表示部１７０に表示された候補が選択されたとみなし、その情報をメモリ１５０のバッファに記憶させる。これにより、制御部１１０が、使用できる時間帯の設定を表す情報を受付けたこととなる。
【００６５】
図８を参照して、本体機器１００で実行されるプログラムは、放送の受信および映像の表示に関して、以下のような制御構造を有する。
【００６６】
Ｓ５００にて、制御部１１０は、計時回路１２６が出力した値に基づき、時刻を特定する。Ｓ５０２にて、制御部１１０は、メモリ１５０に記憶された情報に基づき、Ｓ５０２を実行する時点で本体機器１００を利用する利用者を特定する。
【００６７】
Ｓ５０４にて、制御部１１０は、メモリ１５０に記憶された、時間帯ごとに利用できる利用者を特定した情報に基づき、利用中の利用者が、Ｓ５０２を実行する時点で本体機器１００を利用できる利用者か否かを判断する。本体機器１００を利用できる利用者と判断した場合（Ｓ５０４にてＹＥＳ）、処理はＳ５０８へと移される。もしそうでないと（Ｓ５０４にてＮＯ）、処理はＳ５０６へと移される。Ｓ５０６にて、制御部１１０は、チャンネルに関する設定を標準の設定（本実施の形態において、標準の設定の具体的な内容は利用者が任意に決定する）にする。Ｓ５０８にて、制御部１１０は、赤外線受光部１２０が受信したリモコン信号を受付ける。
【００６８】
Ｓ５１０にて、制御部１１０は、受信した信号が利用者の変更を表すか否かを判断する。利用者の変更を表すと判断した場合（Ｓ５１０にてＹＥＳ）、処理はＳ５１２へと移される。もしそうでないと（Ｓ５１０にてＮＯ）、処理はＳ５１８へと移される。Ｓ５１２にて、制御部１１０は、Ｓ５０８にて受信した信号から、利用者名およびパスワードを抽出する。
【００６９】
Ｓ５１４にて、制御部１１０は、抽出された利用者名に基づき、利用中の利用者が、Ｓ５１２を実行する時点で本体機器１００を利用できる利用者か否かを判断する。本体機器１００を利用できる利用者と判断した場合（Ｓ５１４にてＹＥＳ）、処理はＳ５１６へと移される。もしそうでないと（Ｓ５１４にてＮＯ）、処理はＳ５１８へと移される。
【００７０】
Ｓ５１６にて、制御部１１０は、メモリ１５０から、抽出された利用者名に基づき、設定の内容を表す情報を読出す。情報が読出されると、制御部１１０は、その情報に対応するように、数字ボタン１２０６と数字ボタン１２０６に対応するチャンネルとの対応づけを表すデータテーブルの内容を更新する。これにより、利用者毎にチャンネルの表示が設定される。本実施の形態において、設定の内容を表す情報は、複数のグループから構成されている。１つのグループは、グループ番号、データテーブルの内容を表すデータ、ならびに利用者名およびパスワードの組合せを含む。１つのグループに含まれる、利用者名およびパスワードの組合せの数は、特に特定されない。あるグループの場合、その数は１組である。またあるグループの場合、その数は、複数である。制御部１１０は、各グループＳ５０８にて受信した信号から抽出された利用者名およびパスワードを含むグループすべての内容が反映されるようにデータテーブルの内容を更新する。グループ間でデータテーブルの内容に矛盾がある場合、グループ番号の値が小さいグループの内容が優先する。このようにデータテーブルの内容を更新することで、いわばある利用者が自分の利用者名とパスワードで別の利用者が選択したチャンネルを観ることができるような形態が生じる。データテーブルの更新にあわせて、制御部１１０は、アンテナ部１９０のうち、メモリ１５０から読出された情報に対応するアンテナに電力を供給する。あわせて制御部１１０は、それ以外のアンテナへの電力の供給を停止する。これにより、制御部１１０は、利用者が選択した選択チャンネルに応じて、チューナ１６０が用いるアンテナを決定することとなる。また、制御部１１０は、自らが決定したアンテナとは異なるアンテナへの電力の供給を停止することとなる。
【００７１】
Ｓ５１８にて、制御部１１０は、赤外線受光部１２０が受信したリモコン信号が表わす、チャンネルを選択する旨の情報に基づき、チューナ１６０がアンテナを用いて受信するチャンネルを変更させ、受信した映像を表示部１７０に表示させる。ただし、リモコン信号にチャンネルを選択する旨の情報が含まれていない場合、制御部１１０は、現在受信中のチャンネル（すなわち、Ｓ５０８の時点でチューナ１６０が情報を受信中のチャンネル）を選択する旨の情報が含まれているとみなす。この場合、実際にはチャンネルは変更されない。
【００７２】
以上のような構造およびフローチャートに基づく、本体機器１００の動作について説明する。
【００７３】
［利用者毎にチャンネルを設定する場合］
制御部１１０は、チューナ１６０およびアンテナ部１９０を用いて、同期することを確認できるチャンネルを検出する（Ｓ３００）。チャンネルが検出されると、赤外線受光部１２０は、利用者毎でのチャンネルの設定の旨を受付ける（Ｓ３０２）。この旨が受付けられると、制御部１１０は、まずメモリ１５０のバッファに、利用者毎のチャンネルの、最新の設定を表す情報を記憶させる。
【００７４】
最新の設定を表す情報が記憶されると、制御部１１０は、赤外線受光部１２０が受信したリモコン信号の内容に基づき、設定しようとする対象の選択を受付ける（Ｓ４００）。上述したように、本実施の形態において、このステップにおけるリモコン信号が表す内容は、カーソルキー１２１４が押されたことを表す内容、および確定ボタン１２２４が押されたことを表す内容のいずれかである。カーソルキー１２１４が押された場合、制御部１１０は、メモリ１５０のバッファに記憶された、設定しようとする対象を特定する情報を変更する。これに伴い、制御部１１０は、ＯＳＤ画像生成部１８０を介して、設定しようとする対象が明確となるように、表示部１７０の表示を変更させる。図９は、設定しようとする対象が枠内２３０に含まれる欄である場合の、表示部１７０の表示例を示す。チャンネル設定欄２３６が太枠で囲まれている。図１０は、設定しようとする対象が時間枠２４０に含まれる欄である場合の、表示部１７０の表示例を示す。利用者欄２３８が太枠で囲まれている。確定ボタン１２２４が押されると、選択の受付けは確定する。
【００７５】
受付が確定されると、制御部１１０は、利用者が設定の対象として枠内２３０に含まれる欄を選択したか否かを判断する（Ｓ４０２）。この場合、利用者は枠内２３０に含まれる欄を選択するので（Ｓ４０２にてＹＥＳ）、赤外線受光部１２０は、選択した欄についての、各設定の選択を受付ける（Ｓ４０４）。上述したように、制御部１１０は、当初表示部１７０に、制御部１１０自身が受付けようとする情報の候補のいずれかを表示させている。これにあわせて、制御部１１０は、チャンネル設定欄２３６に表示された内容に対応する具体的なチャンネルも、表示部１７０の利用者チャンネル表示欄２３４に表示させる。本実施の形態の場合、このときの表示は、図９の通りである。これにより、ＯＳＤ画像生成部１８０は、第１のグループに対応付けられたチャンネルを表す、映像の情報を出力することとなる。この状態の下で、赤外線受光部１２０が、カーソルキー１２１４のうち、カーソルを左右方向に移動させるキーが押された旨の信号を受信すると、制御部１１０は、別の候補を表示部１７０に表示させる。図１１に、本実施の形態におけるこのときの表示部１７０の内容を示す。チャンネル設定欄２３６が「ＶＨＦのみ」に変更されている。図１２を参照して、この後続けてカーソルを左右方向に移動させるキーが押された場合のメニュー欄の内容を説明する。メニュー欄は「全チャンネル表示」、「同期確認チャンネルのみ」、「ＶＨＦのみ」、および「ＵＨＦ・同期確認チャンネルのみ」の順に変化する。赤外線受光部１２０が、カーソルキー１２１４のうち、カーソルを上下方向に移動させるキーが押された旨の信号を受信すると、制御部１１０は、選択の対象となる設定を、チャンネル設定欄２３６と利用者欄２３８との間で変更する。表示部１７０の表示が図９の通りである場合に、カーソルを上下方向に移動させるキーが押されると、表示部１７０の表示は図１３のように変化する。赤外線受光部１２０が、確定ボタン１２２４が押された旨の信号を受信すると、制御部１１０は、その時表示部１７０に表示された候補が選択されたとみなし、その情報をメモリ１５０のバッファに記憶させる。
【００７６】
情報が記憶されると、赤外線受光部１２０は、表示するチャンネル番号の選択を受付ける（Ｓ４０６）。図１４に、このときの表示部１７０の内容を示す。チャンネル「１」が反転して表示されている。カーソルを右方向に移動させるキーが押されると、制御部１１０は、チャンネル「２」を反転して表示させる。チャンネル「７」が反転して表示されているときに、カーソルを右方向に移動させるキーが押されると、制御部１１０は、チャンネル「５２」が表示されるまで、チャンネルの表示をスクロールさせる。すなわち、チャンネルの表示が順次左に移動し、最も右の表示欄には「８」が表示される。このとき表示されるチャンネルは、Ｓ３００にて検出されたチャンネル（チャンネル番号が「１」、「２」、「３６」、「４」、「３４」、「６」、「７」、「８」、「１９」、「１１」、「１２」、「４０」、および「５２」であるチャンネル）である。赤外線受光部１２０が、カーソルキー１２１４のうち、カーソルを上下方向に移動させるキーが押された旨の信号を受信すると、制御部１１０は、その時反転表示されたチャンネルが選択されたとみなし、そのチャンネルを表す情報をメモリ１５０のバッファに記憶させる。あわせて制御部１１０は、選択されたチャンネルを表す情報を、選択されていないチャンネルを表す情報とは別の色で表示させる。赤外線受光部１２０が、確定ボタン１２２４が押された旨の信号を受信すると、制御部１１０は、その時までに選択されたチャンネルの情報を、メモリ１５０のバッファに記憶させる。これにより、赤外線受光部１２０がチャンネル番号の選択を受付けたこととなる。
【００７７】
チャンネル番号の選択が受付けられると、制御部１１０は、受付けられた設定に対する、利用者の承認があったか否かを判断する（Ｓ３０６）。この場合、利用者の承認があったと判断するので（Ｓ３０６にてＹＥＳ）、制御部１１０は、変更された設定の内容を表す情報を、メモリ１５０の本設定用の領域に記憶させる（Ｓ３０８）。情報が記憶されると、制御部１１０は、変更された設定の内容に基づき、アンテナ部１９０のうち、放送を受信する際に使用するアンテナを特定する。あわせて制御部１１０は、特定されたアンテナを表す情報を、メモリ１５０の本設定用の領域に記憶させる（Ｓ３１０）。特定されたアンテナを表す情報が記憶されると、処理は終了する。
【００７８】
［利用者が利用できる時間を設定する場合］
Ｓ３００〜Ｓ４００の処理を経て、制御部１１０は、利用者が設定の対象として枠内２３０に含まれる欄を選択したか否かを判断する（Ｓ４０２）。この場合、利用者は時間枠２４０に含まれる欄を選択するので（Ｓ４０２にてＮＯ）、制御部１１０は、利用者毎に本体機器１００を使用する時間の設定を受付ける（Ｓ４０８）。時間の設定が受付けられると、制御部１１０は、確定ボタン１２２４が押された旨の信号を待ち、表示部１７０に表示された候補をメモリ１５０のバッファに記憶させる（Ｓ４１０）。
【００７９】
［本体装置を用いて番組を表示させる場合］
制御部１１０は、計時回路１２６が出力した値に基づき、時刻を特定する（Ｓ５００）。時刻が特定されると、制御部１１０は、本体機器１００を利用する利用者を特定する（Ｓ５０２）。利用者が特定されると、制御部１１０は、利用中の利用者が、本体機器１００を利用できる利用者か否かを判断する（Ｓ５０４）。この場合、本体機器１００を利用できる利用者と判断しないので（Ｓ５０４にてＮＯ）、制御部１１０は、チャンネルに関する設定を標準の設定にする（Ｓ５０６）。設定が標準の設定にされると、制御部１１０は、赤外線受光部１２０が受信したリモコン信号を受付ける（Ｓ５０８）。リモコン信号が受付けられると、制御部１１０は、受信した信号が利用者の変更を表すか否かを判断する（Ｓ５１０）。この場合、利用者の変更を表すと判断するので（Ｓ５１０にてＹＥＳ）、制御部１１０は、Ｓ５０８にて受信した信号から、利用者名およびパスワードを抽出する（Ｓ５１２）。これにより、制御部１１０は、本体機器１００を使用中の利用者を特定することができる。利用者名などが抽出されると、制御部１１０は、抽出された利用者名に基づき、利用中の利用者が、Ｓ５１２を実行する時点で本体機器１００を利用できる利用者か否かを判断する（Ｓ５１４）。この場合、本体機器１００を利用できる利用者と判断されるので（Ｓ５１４にてＹＥＳ）、制御部１１０は、利用者毎にチャンネルの表示を設定する。あわせて、制御部１１０は、アンテナ部１９０のうち、メモリ１５０から読出された情報に対応するアンテナに電力を供給する（Ｓ５１６）。図１５を参照して、この場合における利用者毎のチャンネルの表示およびアンテナへの電源の供給について説明する。本実施の形態の場合、メモリ１５０には、３人の利用者がチャンネルの表示を登録している。利用者Ａは、同期が確認されたチャンネル（本体機器１００が表示できるチャンネル）のうち、チャンネル「１０」だけ選択していない。利用者Ｂは、ＵＨＦ帯の放送を見ないので、ＶＨＦ帯のチャンネルのみを選択している。さらに利用者Ｂは、電波の状態などによりチャンネル「３」などが表示されることがあるので、同期が確認されていないチャンネルも選択している。利用者Ｃは、ＵＨＦ帯の放送しか見ないので、同期が確認されたチャンネルのうち、ＵＨＦ帯のチャンネルのみを選択している。仮に変更後の利用者が利用者Ａとすると、制御部１１０は、第１アンテナ１９２および第２アンテナ１９４の双方に電力を供給することとなる。このような制御は、メモリ１５０の本設定用の領域に、使用するアンテナを特定する情報が、チャンネルごとに記憶されていることで可能となる。チャンネルが設定されると、制御部１１０は、赤外線受光部１２０が受信したリモコン信号が表わす、チャンネルを選択する旨の情報に基づき、チューナ１６０がアンテナを用いて受信するチャンネルを変更させ、受信した映像を表示部１７０に表示させる（Ｓ５１８）。これにより、制御部１１０は、次の場合に、自らが特定した利用者が利用できるチャンネルのうち、赤外線受光部１２０が受付けた情報が表す選択チャンネルで情報を受信するように、チューナ１６０を制御することとなる。その場合とは、自らが特定した利用者が、メモリ１５０の本設定用の領域が記憶した、設定の内容を表す情報が表わす、受信した情報を利用できる利用者のいずれかである場合である。
【００８０】
以上のようにして、本実施の形態に係る本体機器１００は、多数あるチャンネルのいずれかを、利用者ごとに選択する。これにより、利用者が個別に嗜好に応じてチャンネルを設定できる。そのような設定ができるので、本体機器１００を共有する場合にも利用者ごとの設定の秘匿性が向上する。その上、チャンネルを設定する際、データテーブルのうち、複数のグループに属するデータを参照してチャンネルを設定する。これにより、重複するチャンネルを記憶させる必要性が薄くなるので、メモリの利用量が少なくなる。さらに、本実施の形態に係る本体機器１００は、利用者および受信中のチャンネルに応じて適切なアンテナに自動的に電力を供給できる。これらに加え、本実施の形態に係る本体機器１００は、チャンネルを表示する順序を利用者が選択したり、チャンネルを選択しなかったりできる。これにより、利用者が得る情報の取捨選択に優先度をつけることができる。その結果、番組の視聴を円滑化でき、メモリの容量が少なく、かつ消費電力を軽減できる受像機を提供することができる。
【００８１】
なお、表示部１７０およびスピーカ１７２は、本体機器１００から独立していてもよい。この場合、本体機器１００は、テレビではなく外付けのチューナとして動作することとなる。
【００８２】
また、アンテナ部１９０は、単一のアンテナであってもよい。この場合、本体機器１００は、特にチャンネルに応じて電力を供給するアンテナを選択することはない。さらに、アンテナ部１９０は、３本のアンテナに限定されない。利用者が受信しようとする番組が、ＣＳ（Communications Satellite）放送の番組の場合、アンテナの数は増加する。この場合、本体機器１００の制御部１１０は、増加したアンテナの系統へも、利用者に応じて電力を供給する。
【００８３】
その他、Ｓ４０４にて制御部１１０が表示させる候補は、図１２に示すものに限定されない。そのような候補は、たとえば「ＶＨＦ・同期確認チャンネルのみ」、「有料チャンネル」、「有料・スポーツチャンネルのみ」、「有料・映画チャンネルのみ」などといったものであってもよい。そのような候補は、利用者が自由に設定できるものであってもよい。特にそのような候補として有料チャンネルに関するものを設定する場合、制御部１１０は、利用者が未契約の番組や利用者が未契約のジャンルに関する候補を反転表示させてもよい。この場合、制御部１１０は、アンテナ部１９０が電波を受信できるか否かに基づいて、利用者が未契約か否かを判断できる。
【００８４】
これらとは別に、赤外線受光部１２０が信号として情報の入力を受付けることに代えて、入力部１３０が情報を受付けてもよい。
【００８５】
＜第２の実施の形態＞
以下、本発明の第２の実施の形態について説明する。
【００８６】
本実施の形態に係る本体機器１００は、前述の第１の実施の形態と同じである。それらについての機能も同じである。したがって、それらについての詳細な説明はここでは繰返さない。
【００８７】
図１６を参照して、本体機器１００で実行されるプログラムは、放送の受信および映像の表示に関して、以下のような制御構造を有する。なお、図１６に示すフローチャートの中で、前述の図７に示した処理は同じステップ番号を付してある。それらの処理も同じである。したがって、それらについての詳細な説明はここでは繰返さない。
【００８８】
Ｓ５５０にて、制御部１１０は、利用者が設定の対象として変更欄を選択したか否かを判断する。このとき表示部１７０に表示される画像には、枠内２３０の各欄および時間帯２４０の欄のほかに、視聴の対象を変更するか否かの意思の表示を表すチェックボックス（本実施の形態において、このチェックボックスを「変更欄」と称する）が表示されている。カーソルが変更欄にある時に確定ボタン１２２４が押されると、制御部１１０は、変更欄が選択されたとみなす。利用者が変更欄を選択したと判断した場合（Ｓ５５０にてＹＥＳ）、処理はＳ５５２へと移される。もしそうでないと（Ｓ５５０にてＮＯ）、処理はＳ４０８へと移される。Ｓ５５２にて、制御部１１０は、利用者からの視聴の対象を変更する旨の要求に対応する。この処理は、後述するＳ６００〜Ｓ６１８の各ステップに相当する。
【００８９】
図１７を参照して、本体機器１００で実行されるプログラムは、視聴の対象の設定に関して、以下のような制御構造を有する。
【００９０】
Ｓ６００にて、制御部１１０は、利用者が、視聴の対象を「限定」から「汎用」に変更しようとしているか否かを判断する。本実施の形態において、視聴の対象を「限定」とすることは、特定の利用者のみが「限定」とされたチャンネルを視聴できることを意味する。視聴の対象を「汎用」とすることは、すべての利用者が「汎用」とされたチャンネルを視聴できることを意味する。この判断は、表示部１７０にダイアログボックスを表示させ、利用者の選択（視聴の対象を「限定」から「汎用」に変更するか否かの選択）を受付け、受付けた選択に基づいて実施する。視聴の対象を「汎用」に変更しようとしていると判断した場合（Ｓ６００にてＹＥＳ）、処理はＳ６０２へと移される。もしそうでないと（Ｓ６００にてＮＯ）、処理はＳ６０８へと移される。
【００９１】
Ｓ６０２にて、制御部１１０は、利用者の、「汎用」への変更の意思を確認したか否かを判断する。この判断は、確定ボタン１２２４が押された旨のリモコン信号を受信したか否かに基づいて実施される。この判断に先立って、制御部１１０は、視聴の対象が「限定」となっているチャンネルを表示部１７０に表示させた上で、予め利用者がどのチャンネルを「汎用」に変更しようとしているかの入力を、リモコン信号として受付けている。変更の意思を確認したと判断した場合（Ｓ６０２にてＹＥＳ）、処理はＳ６０４へと移される。もしそうでないと（Ｓ６０２にてＮＯ）、処理はＳ６０６へと移される。
【００９２】
Ｓ６０４にて、制御部１１０は、視聴の対象を「汎用」に変更したチャンネルについて、その旨をメモリ１５０のバッファに記憶させる。Ｓ６０６にて、制御部１１０は、視聴の対象を変更する処理を、変更をかけないままで中止する。すなわち、制御部１１０は、表示部１７０の表示をＳ５５０の時点の内容に復旧させる。
【００９３】
Ｓ６０８にて、制御部１１０は、視聴の対象を「汎用」から「限定」へ変更するための表示を、表示部１７０に表示させる。Ｓ６１０にて、制御部１１０は、表示部１７０に認証用の画面を表示させ、利用者本人を確認する手段を要求する。本実施の形態の場合、制御部１１０は、そのような手段として、利用者名とパスワードとの入力を求める。利用者が入力したパスワードは、リモコン信号として本体機器１００に送信される。
【００９４】
Ｓ６１２にて、制御部１１０は、受信したパスワードに基づき、認証できるか否か（利用者名とパスワードとが一致したか否か）を判断する。認証できると判断した場合（Ｓ６１２にてＹＥＳ）、処理はＳ６１４へと移される。もしそうでないと（Ｓ６１２にてＮＯ）、処理はＳ６１８へと移される。
【００９５】
Ｓ６１４にて、制御部１１０は、利用者の、「限定」への変更の意思を確認したか否かを判断する。この判断は、確定ボタン１２２４が押された旨のリモコン信号を受信したか否かに基づいて実施される。この判断に先立って、制御部１１０は、視聴の対象が「汎用」となっているチャンネルを表示部１７０に表示させた上で、予め利用者がどのチャンネルを「限定」に変更しようとしているかの入力を、リモコン信号として受付けている。変更の意思を確認したと判断した場合（Ｓ６１４にてＹＥＳ）、処理はＳ６１６へと移される。もしそうでないと（Ｓ６１４にてＮＯ）、処理はＳ６１８へと移される。
【００９６】
Ｓ６１６にて、制御部１１０は、視聴の対象を「限定」に変更したチャンネルについて、その旨をメモリ１５０のバッファに記憶させる。Ｓ６１８にて、制御部１１０は、視聴の対象を変更する処理を、変更をかけないままで中止する。すなわち、制御部１１０は、表示部１７０の表示をＳ５５０の時点の内容に復旧させる。
【００９７】
なお、その他の処理フローについては前述の第１の実施の形態と同様である。それらについての機能も同じである。したがって、それらについての詳細な説明はここでは繰返さない。
【００９８】
以上のような構造およびフローチャートに基づく、本体機器１００の動作について説明する。
【００９９】
［あるチャンネルの設定を「汎用」に変更する場合］
利用者が枠内２３０に含まれる欄を選択しなかった場合（Ｓ４０２にてＮＯ）、制御部１１０は、利用者が設定の対象として変更欄を選択したか否かを判断する（Ｓ５５０）。この場合、利用者は変更欄を選択するので（Ｓ５５０にてＹＥＳ）、制御部１１０は、利用者が、視聴の対象を「限定」から「汎用」に変更しようとしているか否かを判断する（Ｓ６００）。この場合、利用者は視聴の対象を「汎用」に変更しようとしているので（Ｓ６００にてＹＥＳ）、制御部１１０は、視聴の対象が「限定」となっているチャンネルを表示部１７０に表示させた上で、予め利用者がどのチャンネルを「汎用」に変更しようとしているかの入力を、リモコン信号として受付ける。図１８に、この場合の表示部１７０の表示を示す。チャンネル「４０」が反転して表示されている。カーソルキー１２１４のうち、カーソルを左方向に移動させるキーが押されると、制御部１１０は、チャンネル「３６」を反転して表示させる。カーソルを上下方向に移動させるキーが押されると、制御部１１０は、その時反転表示されたチャンネルが選択されたとみなし、そのチャンネルを表す情報をメモリ１５０のバッファに記憶させる。あわせて制御部１１０は、選択されたチャンネルを、選択されていないチャンネルとは別の色で表示させる。確定ボタン１２２４が押された旨の信号を受信すると、制御部１１０は、その時までに選択されたチャンネルを、「汎用」に変更しようとするチャンネルとして受付ける。入力が受付けられると、制御部１１０は、利用者の、「汎用」への変更の意思を確認したか否かを判断する（Ｓ６０２）。図１９は、この場合の表示部１７０の表示面を示す。この場合も、「汎用」に変更するチャンネルを受付けた場合と同様にして変更の意思を確認する。変更の意思が確認されると（Ｓ６０２にてＹＥＳ）、制御部１１０は、視聴の対象を「汎用」に変更したチャンネルについて、その旨をメモリ１５０のバッファに記憶させる（Ｓ６０４）。その旨がメモリ１５０のバッファに記憶されると、制御部１１０は、受付けられた設定に対する、利用者の承認があったか否かを判断する（Ｓ３０６）。
【０１００】
［あるチャンネルの設定を「限定」に変更する場合］
制御部１１０は、利用者が、視聴の対象を「汎用」から「限定」に変更しようとしている場合（Ｓ６００にてＮＯ）、制御部１１０は、視聴の対象を「汎用」から「限定」へ変更するための表示を、表示部１７０に表示させる（Ｓ６０８）。その表示が表示されると、制御部１１０は、表示部１７０に認証用の画面を表示させ、利用者名とパスワードとの入力を求める（Ｓ６１０）。図２０が利用者名とパスワードとの入力を求める前の表示部１７０の表示である。図２１が利用者名とパスワードとの入力を求めた際の表示部１７０の表示である。利用者が入力したパスワードは、リモコン信号として本体機器１００に送信される。パスワードが送信されると、制御部１１０は、受信したパスワードに基づき、認証できるか否か（利用者名とパスワードとが一致したか否か）を判断する（Ｓ６１２）。この場合、認証できると判断するので（Ｓ６１２にてＹＥＳ）、制御部１１０は、視聴の対象が「汎用」となっているチャンネルを表示部１７０に表示させた上で、予め利用者がどのチャンネルを「限定」に変更しようとしているかの入力を、リモコン信号として受付ける。入力の方法はチャンネルの設定を「限定」から「汎用」に変更する場合と同様である。入力が受付けられると、利用者の、「限定」への変更の意思を確認したか否かを判断する（Ｓ６１４）。図２２に、この場合の表示部１７０の表示を示す。「はい」の枠が太枠で囲まれている時、確定ボタン１２２４が押されると（Ｓ６１４にてＹＥＳ）、制御部１１０は、視聴の対象を「限定」に変更したチャンネルについて、その旨をメモリ１５０のバッファに記憶させる（Ｓ６１６）。その旨がメモリ１５０のバッファに記憶されると、制御部１１０は、受付けられた設定に対する、利用者の承認があったか否かを判断する（Ｓ３０６）。
【０１０１】
以上のようにして、本実施の形態に係る本体機器１００は、チャンネルを「汎用」および「限定」に区別し、それらの区別に応じて一定の利用者が番組を視聴できるように制御できる。これにより、１台の受像機を使用する場合でも、利用者毎に秘匿性が高い設定をして利用することができる。さらに本実施の形態に係る本体機器１００は、通常の地上波放送とは異なる放送（衛星放送やケーブルテレビの放送）のように、対価を支払って視聴権を得ている放送の場合、本体機器１００を共有していても、確実に第三者の視聴を防止できる。その結果、利用者に対する利便性と情報の秘匿性が高い本体機器を提供することができる。
【０１０２】
なお、本実施の形態においても、表示部１７０およびスピーカ１７２は、本体機器１００から独立していてもよい。この場合にも、本体機器１００は、テレビではなく外付けのチューナとして動作する。
【０１０３】
また、「利用者本人を確認する手段」とは、パスワードによる認証に限定されない。たとえばＩＣカードによる認証や、指紋による認証であってもよい。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０５】
【図１】本発明の第１の実施の形態に係る本体機器の機能的構成を表わすブロック図である。
【図２】本発明の第１の実施の形態に係るアンテナの機能的構成を表わすブロック図である。
【図３】本発明の第１の実施の形態に係るリモコン端末の外観を表わす図である。
【図４】本発明の第１の実施の形態に係るリモコン端末が有する機能の構成を表わす図である。
【図５】本発明の第１の実施の形態に係るチャンネルの設定処理の制御の手順を示すフローチャートである。
【図６】本発明の第１の実施の形態に係る本体機器とリモコン端末との間の通信のフォーマットを表す図である。
【図７】本発明の第１の実施の形態に係る設定の変更処理の制御の手順を示すフローチャートである。
【図８】本発明の第１の実施の形態に係る放送の受信処理および映像の表示処理の制御の手順を示すフローチャートである。
【図９】本発明の第１の実施の形態に係る表示部の、チャンネル設定欄の内容を設定しようとする場合の表示の内容を表わす図である。
【図１０】本発明の第１の実施の形態に係る表示部の、利用できる時刻を設定しようとする場合の、表示の内容を表わす図である。
【図１１】本発明の第１の実施の形態に係る表示部の、チャンネル設定欄の内容が変更された場合の表示の内容を表わす図である。
【図１２】本発明の第１の実施の形態に係る表示部の、チャンネル設定欄の内容が変更される順番を表わす図である。
【図１３】本発明の第１の実施の形態に係る表示部の、利用者欄の内容を設定しようとする場合の表示の内容を表わす図である。
【図１４】本発明の第１の実施の形態に係る表示部の、表示するチャンネル番号の選択を受付ける場合の、表示の内容を表わす図である。
【図１５】本発明の第１の実施の形態に係るメモリに記憶された、利用者別のチャンネル番号を表わす図である。
【図１６】本発明の第２の実施の形態に係る設定の変更処理の制御の手順を示すフローチャートである。
【図１７】本発明の第２の実施の形態に係る視聴の対象を変更する処理の制御の手順を示すフローチャートである。
【図１８】本発明の第２の実施の形態に係る表示部の、視聴の対象を変更するチャンネル番号の選択を受付ける場合の、表示の内容を表わす図である。
【図１９】本発明の第２の実施の形態に係る表示部の、視聴の対象を「汎用」に変更する旨の確認をする場合の、表示の内容を表わす図である。
【図２０】本発明の第２の実施の形態に係る表示部の、視聴の対象を「汎用」から「限定」へ変更する場合の、表示の内容を表わす図である。
【図２１】本発明の第２の実施の形態に係る表示部の、利用者名とパスワードとの入力を求めた場合の、表示の内容を表わす図である。
【図２２】本発明の第２の実施の形態に係る表示部の、「限定」への変更の意思を確認する場合の、表示の内容を表わす図である。
【符号の説明】
【０１０６】
１００  本体機器、１１０，１２１０  制御部、１２０  赤外線受光部、１２６  計時回路、１３０  入力部、１５０，１２５０  メモリ、１６０  チューナ、１６２  合成部、１６４  増幅部、１７０  表示部、１７２  スピーカ、１８０  ＯＳＤ画像生成部、１９０  アンテナ部、１９２  第１アンテナ、１９４  第２アンテナ、１９６  第３アンテナ、２２０  スタートビット用エリア、２２２  オペレーションコード用エリア、２２４  コマンドコード用エリア、２２６  データ用エリア、２２８  ストップビット用エリア、２３０  枠内、２３４  利用者チャンネル表示欄、２３６  チャンネル設定欄、２３８  利用者欄、２４０  時間枠、１２００  リモコン端末、１２０２  ディスプレイ、１２０４  移動キー、１２０６  数字ボタン、１２０８  操作ボタン、１２１４  カーソルキー、１２１８  音量ボタン、１２２０  チャンネル選局部、１２２４  確定ボタン、１２２８  チャンネルボタン、１２４０  操作部、１２６０  赤外線発光部。
【図１】
2005311461.tif 000003
【図２】
2005311461.tif 000004
【図３】
2005311461.tif 000005
【図４】
2005311461.tif 000006
【図５】
2005311461.tif 000007
【図６】
2005311461.tif 000008
【図７】
2005311461.tif 000009
【図８】
2005311461.tif 000010
【図９】
2005311461.tif 000011
【図１０】
2005311461.tif 000012
【図１１】
2005311461.tif 000013
【図１２】
2005311461.tif 000014
【図１３】
2005311461.tif 000015
【図１４】
2005311461.tif 000016
【図１５】
2005311461.tif 000017
【図１６】
2005311461.tif 000018
【図１７】
2005311461.tif 000019
【図１８】
2005311461.tif 000020
【図１９】
2005311461.tif 000021
【図２０】
2005311461.tif 000022
【図２１】
2005311461.tif 000023
【図２２】
2005311461.tif 000024